(57)【要約】【課題】第１方向に配列する第１蓄電セルおよび第２蓄電セルの間に配置されるスペーサであって、各蓄電セルを冷却する冷却効率の低下が抑制されたスペーサを提供する。【解決手段】スペーサは、主面と向かい合うと共に、主面との間に冷却風が流れる冷却通路４９Ｂが形成された本体部３０Ｂと、第２方向において本体部３０Ｂの一端に接続されると共に第１側面側に設けられ、冷却通路４９Ｂに連通する連通部が形成された側壁部３２Ｂと、第３方向において側壁部３２Ｂの一端に接続されると共に第１端面側に設けられ、側壁部３２Ｂの一端から第２方向に延びるように形成された端板部３６Ｂと、端板部３６Ｂに形成されており、第１端面側に向けて突出するリップ部５０Ｂとを含み、側壁部３２Ｂおよび第１側面の間と、端板部３６Ｂおよび第１端面との間には、隙間が形成されており、リップ部５０Ｂは第１端面と接触する。【選択図】図３
2020027764.tif 000002
【特許請求の範囲】
【請求項１】
第１方向に配列する第１蓄電セルおよび第２蓄電セルの間に配置され、前記第１蓄電セルとの間において冷却風が流れるスペーサであって、
前記第１蓄電セルは、
前記第２蓄電セルと対向する主面と、
前記第１方向と直交する第２方向に配置された第１側面および第２側面と、
前記第１方向および前記第２方向と直交する第３方向に配列する第１端面および第２端面とを含み、
前記スペーサは、
前記主面と向かい合うと共に、前記主面との間に前記冷却風が流れる冷却通路が形成された本体部と、
前記第２方向において前記本体部の一端に接続されると共に前記第１側面側に設けられ、前記冷却通路に連通する連通部が形成された側壁部と、
前記第３方向において前記側壁部の一端に接続されると共に前記第１端面側に設けられ、前記側壁部の一端から前記第２方向に延びるように形成された端板部と、
前記端板部に形成されており、前記第１端面側に向けて突出するリップ部と、
を含み、
前記側壁部および前記第１側面の間と、前記端板部および前記第１端面との間には、隙間が形成されており、前記リップ部は前記第１端面と接触する、スペーサ。
【発明の詳細な説明】
【技術分野】
【０００１】
本開示は、スペーサに関し、特に、蓄電セル間に配置されたスペーサに関する。
【背景技術】
【０００２】
従来から一方向に間隔をあけて配置された蓄電セルの間に配置されたスペーサについて各種提案されている。
【０００３】
たとえば、特開２００９−２７７４７１号公報に記載されたスペーサは、第１方向に配列する第１蓄電セルおよび第２蓄電セルの間に配置されている。
【０００４】
第１蓄電セルは、第２蓄電セルと対向する主面と、第１側面および第２側面を含む。第１側面は、第１蓄電セルの幅方向の一方側において主面に接続されている。第２側面は、第１蓄電セルの幅方向の他方側において主面に接続されている。
【０００５】
そして、上記のスペーサは、蓄電セル間に位置するベース部と、第１上側側壁および第２上側側壁と、第１下側側壁および第２下側側壁とを含む。
【０００６】
ベース部は、第１蓄電セルの主面から間隔をあけて配置されており、このベース部には、主面に向けて突出する複数の突出部が形成されている。各突出部は、第１蓄電セルの幅方向に延びると共に、各突出部は、第１蓄電セルの高さ方向に間隔をあけて配置されている。これにより、各突出部の間には、冷却風が通る冷却通路が形成されている。
【０００７】
第１上側側壁および第１下側側壁は、第１蓄電セルの第１側面側に設けられている。第１上側側壁は、第１側面の上端側に設けられており、第１下側側壁は、第１側面の下端部側に設けられている。
【０００８】
そして、第１上側側壁および第１下側側壁の間には、上記の冷却通路に連通する供給口が形成されている。
【０００９】
同様に、第２上側側壁および第２下側側壁は、第２側面側に設けられている。第２上側側壁は、第２側面の上端側に設けられており、第２下側側壁は、第２側面の下端部側に設けられている。
【００１０】
そして、第２上側側壁および第２下側側壁の間には、上記の冷却通路に連通する排気口が形成されている。
【００１１】
上記のように構成されたスペーサにおいては、供給口から冷却風が冷却通路内に入り込み、その後、冷却通路を通り、排気口から外部に排気される。
【００１２】
そして、冷却風が冷却通路を通る際に、第１蓄電セルおよび第２蓄電セルが冷却風によって冷却される。
【先行技術文献】
【特許文献】
【００１３】
【特許文献１】特開２００９−２７７４７１号公報
【発明の概要】
【発明が解決しようとする課題】
【００１４】
上記のように構成されたスペーサにおいて、スペーサおよび蓄電セルを製造する際に寸法バラツキが生じる場合がある。多少の寸法バラツキが生じたとしても、スペーサを第１蓄電セルに装着することができるようにするために、第１上側側壁および第１側面の間と、第１下側側壁および第１側面と、第２上側側壁および第２側面と、第２下側側壁および第２側面との間とに、隙間を形成することが考えられる。
【００１５】
このように、各側壁と各側面の間に隙間を設けておくことで、製造過程においてスペーサに寸法バラツキが多少生じたとしても、スペーサを第１蓄電セルに装着することができる。
【００１６】
上記のように、各側壁および各側面の間に隙間を設けたスペーサにおいて、第１蓄電セルの第１側面の一部は、供給口から露出している。そして、供給口から供給された冷却風の一部は、第１側面に噴き付けられる。第１側面に噴き付けられた冷却風の一部は、第１側面に沿って上方に向けて流れ、さらに、第１上側側壁および第１側面の間の隙間を通って、第１蓄電セルの上方に抜け出る。同様に、第１下側側壁および第１側面の間の隙間を通って、第１蓄電セルの下方に抜ける。
【００１７】
このように、冷却風の一部が第１上側側壁および第１側面の間の隙間を通り、外部に抜け出ると、当該冷却風は、第１蓄電セルおよび第２蓄電セルの冷却に寄与せず、第１蓄電セルおよび第２蓄電セルの冷却効率が低下する。
【００１８】
本開示は、上記のような課題に鑑みてなされたものであって、その目的は、第１方向に配列する第１蓄電セルおよび第２蓄電セルの間に配置されるスペーサであって、各蓄電セルを冷却する冷却効率の低下が抑制されたスペーサを提供することである。
【課題を解決するための手段】
【００１９】
本開示に係るスペーサは、第１方向に配列する第１蓄電セルおよび第２蓄電セルの間に配置され、前記第１蓄電セルとの間において冷却風が流れるスペーサである。
【００２０】
上記第１蓄電セルは、前記第２蓄電セルと対向する主面と、前記第１方向と直交する第２方向に配置された第１側面および第２側面と、前記第１方向および前記第２方向と直交する第３方向に配列する第１端面および第２端面とを含む。
【００２１】
上記スペーサは、主面と向かい合うと共に、主面との間に冷却風が流れる冷却通路が形成された本体部と、第２方向において本体部の一端に接続されると共に第１側面側に設けられ、冷却通路に連通する連通部が形成された側壁部と、第３方向において側壁部の一端に接続されると共に第１端面側に設けられ、側壁部の一端から第２方向に延びるように形成された端板部と、端板部に形成されており、第１端面側に向けて突出するリップ部とを含む。上記側壁部および第１側面の間と、端板部および第１端面との間には、隙間が形成されており、リップ部は第１端面と接触する。
【００２２】
上記のスペーサによれば、連通部から冷却風が供給された場合において、冷却風の一部が第１側面に噴き付けられる。第１側面に噴き付けられた冷却風の一部は、第１側面に沿って流れ、第１側面および側壁部の間の隙間と、第１端面および端板部の間の隙間を通る。上記のように各隙間を冷却風が流れたとしても、リップ部が冷却風の流れを遮る。これにより、上記のように各隙間を通るような冷却風の冷却通路の流通抵抗が高くなる。その結果、上記のように各隙間を通る冷却風の流量を低減することができる。
【００２３】
各隙間を通るような冷却風の流量が低減されると、冷却通路を通る冷却風の流量を増やすことができ、第１蓄電セルを良好に冷却することができる。
【発明の効果】
【００２４】
本開示に係るスペーサによれば、各蓄電セルを冷却する冷却効率の低下を抑制することができる。
【図面の簡単な説明】
【００２５】
【図１】蓄電装置１を示す斜視図である。
【図２】蓄電装置１の一部を分解した状態を示す分解斜視図である。
【図３】スペーサ３Ｂを示す斜視図である。
【図４】スペーサ３Ｂを示す斜視図である。
【図５】図３において、蓄電セル２Ａにスペーサ３Ｂを装着した状態を示す正面図である。
【図６】蓄電セル２Ｂにスペーサ３Ｂを装着した状態において、図４のＶＩ方向からスペーサ３Ｂおよび蓄電セル２Ｂを視たときの平面図である。
【図７】スペーサ３Ａを示す平面図である。
【図８】蓄電セル２Ａにスペーサ３Ａおよびスペーサ３Ｂを装着した状態を示す側面図である。
【図９】スペーサ３Ａ，３Ｂおよび蓄電セル２Ａの底面を示す底面図である。
【発明を実施するための形態】
【００２６】
図１から図９を用いて、本実施の形態に係るスペーサについて説明する。図１から図９に示す構成のうち、同一または実質的に同一の構成については、同一の符号を付して重複した説明を省略する。なお、実施の形態に示す構成において、請求項に記載された構成に対応する構成には、括弧書きで請求項の構成を併記する場合がある。
【００２７】
図１は、蓄電装置１を示す斜視図である。蓄電装置１は、複数の蓄電セル２と、各蓄電セル２の間に配置されたスペーサ３と、ダクト４とを備える。複数の蓄電セル２は、配列方向（第１方向）Ｄに間隔をあけて配置されている。ダクト４は、蓄電装置１の側面に設けられており、配列方向Ｄに延びるように形成されている。
【００２８】
図２は、蓄電装置１の一部を分解した状態を示す分解斜視図である。蓄電装置１は、蓄電セル２Ａ，２Ｂと、スペーサ３Ａ，３Ｂとを含む。
【００２９】
蓄電セル２Ａは、平坦面状の直方体形状に形成されている。蓄電セル２Ａは、上面１０と、下面１１と、主面１２，１３と、側面１４，１５とを含む。
【００３０】
主面１２および主面１３は配列方向Ｄに配列しており、側面１４および側面１５は、幅方向（第２方向）Ｗに配列している。
【００３１】
蓄電セル２Ｂは、上面２０と、下面２１と、主面２２，２３と、側面２４，２５とを含む。主面２２および主面２３は、配列方向Ｄに配列している。側面２４および側面２５は、幅方向Ｗに配列している。
【００３２】
そして、蓄電セル２Ａの主面１２と、蓄電セル２Ｂの主面２３とが対向しており、スペーサ３Ｂは、蓄電セル２Ａおよび蓄電セル２Ｂの間に配置されている。
【００３３】
ここで、スペーサ３Ａは、スペーサ３Ｂと同様に構成されているため、スペーサ３Ｂの構造について主に説明する。
【００３４】
図３は、スペーサ３Ｂを示す斜視図である。スペーサ３Ｂは、本体部３０Ｂと、底板３１Ｂと、側壁部３２Ｂ，３３Ｂと、側壁部３４Ｂ，３５Ｂと、端板部３６Ｂ，３７Ｂと、筒部３８Ｂ，３９Ｂとを含む。
【００３５】
本体部３０Ｂは、主面４０Ｂおよび主面４１Ｂを含み、主面４０Ｂおよび主面４１Ｂは、本体部３０Ｂの厚さ方向に配列している。本体部３０Ｂは、長方形形状に形成されており、本体部３０Ｂは、上辺４３Ｂと、下辺４４Ｂと、側辺４５Ｂと、側辺４６Ｂとを含む。
【００３６】
本体部３０Ｂの主面４０Ｂには、複数の整流突起４２Ｂが形成されている。複数の整流突起４２Ｂは、高さ方向Ｈに間隔をあけて形成されている。整流突起４２Ｂは、幅方向Ｗに延びるように形成されている。なお、整流突起４２Ｂの間には、冷却風Ｃが流れる冷媒通路４９Ｂが形成されている。
【００３７】
側壁部３２Ｂおよび側壁部３３Ｂは側辺４５Ｂに形成されており、主面４１Ｂから主面４０Ｂに向かう張出方向Ｄ１に側辺４５Ｂから張り出している。側壁部３２Ｂは側辺４５Ｂの上端側に形成されており、側壁部３３Ｂは側辺４５Ｂの下端側に形成されている。
【００３８】
側壁部３４Ｂおよび側壁部３５Ｂは、側辺４６Ｂに形成されており、主面４１Ｂから主面４０Ｂに向かう張出方向Ｄ１に側辺４６Ｂから張り出している。側壁部３４Ｂは、側辺４６Ｂの上端側に形成されており、側壁部３５Ｂは側辺４６Ｂの下端側に形成されている。
【００３９】
側壁部３３Ｂおよび側壁部３５Ｂは、互いに幅方向Ｗに対向するように形成されており、側壁部３２Ｂおよび側壁部３４Ｂも、互いに幅方向Ｗに対向するように形成されている。
【００４０】
側壁部３３Ｂの表面のうち、側壁部３５Ｂと対向する内表面には、リップ部４７Ｂが形成されている。リップ部４７Ｂは、側壁部３３Ｂの内表面から側壁部３５Ｂに向けて突出するように形成されている。
【００４１】
側壁部３５Ｂの表面のうち、側壁部３３Ｂと対向する内表面には、リップ部４８Ｂが形成されている。リップ部４８Ｂは、側壁部３５Ｂの内表面から側壁部３３Ｂに向けて突出するように形成されている。
【００４２】
底板３１Ｂは、本体部３０Ｂの下辺４４Ｂに接続されている。底板３１Ｂは幅方向Ｗに延びるように形成されており、側壁部３３Ｂの下端および側壁部３５Ｂの下端を接続している。
【００４３】
端板部３６Ｂおよび端板部３７Ｂは、上辺４３Ｂに形成されており、上辺４３Ｂから張出方向Ｄ１に張り出すように形成されている。
【００４４】
端板部３６Ｂは、側壁部３２Ｂの上端に接続されており、端板部３７Ｂは側壁部３４Ｂの上端に接続されている。
【００４５】
端板部３６Ｂの下面にはリップ部５０Ｂが形成されており、リップ部５０Ｂは端板部３６Ｂの先端側に形成されている。リップ部５０Ｂは、端板部３６Ｂの下面から下方に突出するように形成されている。
【００４６】
端板部３７Ｂの下面にも、リップ部５１Ｂが形成されており、リップ部５１Ｂは端板部３７Ｂの先端側に形成されている。リップ部５１Ｂは、端板部３７Ｂの下面から下方に突出するように形成されている。
【００４７】
筒部３８Ｂは、中空状に形成されている。筒部３８Ｂは、底板３１Ｂの下面に形成されており、側壁部３５Ｂよりも側壁部３３Ｂに近い位置に形成されている。
【００４８】
筒部３９Ｂは、中空状に形成されている。筒部３９Ｂは、底板３１Ｂの下面に形成されており、側壁部３３Ｂよりも側壁部３５Ｂに近い位置に形成されている。
【００４９】
図４は、スペーサ３Ｂを示す斜視図である。なお、図３は、主面４０Ｂが見える方向における斜視図である一方で、図４は、主面４１Ｂが見える方向の斜視図である。
【００５０】
図４において、スペーサ３Ｂは、張出壁５２Ｂと、側壁部５３Ｂと、側壁部５４Ｂと、張出壁５５Ｂと、側壁部５６Ｂと、側壁部５７Ｂと、端板部５８Ｂと、端板部５９Ｂと、底板６０Ｂと、突出部６４Ｂ，６５Ｂとを含む。
【００５１】
張出壁５２Ｂと、側壁部５３Ｂと、側壁部５４Ｂとは、側辺４６Ｂに形成されており、張出壁５２Ｂと、側壁部５３Ｂと、側壁部５４Ｂとは、主面４０Ｂから主面４１Ｂに向かう張出方向Ｄ２に張り出している。
【００５２】
張出壁５２Ｂは、側辺４６Ｂの中央に形成されている。側壁部５３Ｂは、張出壁５２Ｂの上辺に接続されており、側壁部５４Ｂは張出壁５２Ｂの下辺に接続されている。張出方向Ｄ２における張出壁５２Ｂの長さは、側壁部５３Ｂおよび側壁部５４Ｂの長さよりも長く、張出壁５２Ｂは側壁部５３Ｂおよび側壁部５４Ｂよりも張出方向Ｄ２に突出している。
【００５３】
張出壁５５Ｂと側壁部５６Ｂと側壁部５７Ｂとは、側辺４５Ｂに形成されており、張出壁５５Ｂと側壁部５６Ｂと側壁部５７Ｂとは側辺４５Ｂから張出方向Ｄ２に張り出すように形成されている。
【００５４】
張出方向Ｄ２において張出壁５５Ｂの長さは、側壁部５６Ｂの長さおよび側壁部５７Ｂの長さよりも長い。張出壁５５Ｂは、側壁部５６Ｂおよび側壁部５７Ｂよりも側辺４５Ｂから張出方向Ｄ２に張り出すように形成されている。
【００５５】
底板６０Ｂは下辺４４Ｂに形成されており、底板６０Ｂは、側壁部５７Ｂの下端および側壁部５４Ｂの下端を接続している。側壁部５４Ｂおよび側壁部５７Ｂは、幅方向Ｗに対向している。側壁部５４Ｂの表面のうち、側壁部５７Ｂと対向する内表面には、突起部６３Ｂが形成されている。突起部６３Ｂは、側壁部５４Ｂの内表面から側壁部５７Ｂに向けて突出するように形成されている。
【００５６】
張出壁５５Ｂおよび張出壁５２Ｂが幅方向Ｗに対向しており、側壁部５６Ｂおよび側壁部５３Ｂが幅方向Ｗに対向している。
【００５７】
端板部５８Ｂは、本体部３０Ｂの上辺４３Ｂに形成されており、側壁部５３Ｂの上辺に接続されている。端板部５８Ｂの下面には、リップ部６１Ｂが形成されており、リップ部６１Ｂは端板部５８Ｂの先端側に形成されており、リップ部６１Ｂは下方に向けて突出するように形成されている。
【００５８】
端板部５９Ｂは、上辺４３Ｂに形成されており、側壁部５６Ｂの上辺に接続されている。端板部５９Ｂの下面には、リップ部６２Ｂが形成されている。リップ部６２Ｂは、端板部５９Ｂの先端側に形成されており、端板部５９Ｂの下面から下方に突出するように形成されている。
【００５９】
突出部６４Ｂおよび突出部６５Ｂは、底板６０Ｂの下面に形成されている。突出部６４Ｂは、側壁部５７Ｂよりも側壁部５４Ｂ側に近い位置に形成されている。突出部６５Ｂは、側壁部５４Ｂよりも側壁部５７Ｂに近い位置に形成されている。突出部６４Ｂ，６５Ｂは、底板６０Ｂよりも張出方向Ｄ２に突出している。
【００６０】
図５は、図３において、蓄電セル２Ａにスペーサ３Ｂを装着した状態を示す正面図である。なお、図５において、蓄電セル２Ａは破線で示している。
【００６１】
スペーサ３Ｂを蓄電セル２Ａに装着すると、リップ部５０Ｂおよびリップ部５１Ｂは、蓄電セル２Ａの上面１０に接触する。同様に、リップ部４７Ｂが蓄電セル２Ａの側面１４に接触し、リップ部４８Ｂが蓄電セル２Ａの側面１５に接触する。
【００６２】
図６は、蓄電セル２Ｂにスペーサ３Ｂを装着した状態において、スペーサ３Ｂおよび蓄電セル２Ｂを視たときの平面図である。なお、図６において、蓄電セル２Ｂは破線で示している。
【００６３】
スペーサ３Ｂを蓄電セル２Ｂに装着すると、スペーサ３Ｂのリップ部６１Ｂ，６２Ｂは、蓄電セル２Ｂの上面２０と接触している。スペーサ３Ｂの突起部６３Ｂは、蓄電セル２Ｂの側面２５と接触している。
【００６４】
突起部６３Ｂの剛性は、リップ部５０Ｂ，５１Ｂ，４７Ｂ，４８Ｂ，６１Ｂ，６２Ｂの剛性よりも高い。そして、突起部６３Ｂが蓄電セル２Ｂの側面２５を押圧することで、蓄電セル２Ｂの側面２４が張出壁５５Ｂ、側壁部５６Ｂおよび側壁部５７Ｂに押圧される。これにより、蓄電セル２Ｂおよびスペーサ３Ｂが互いに位置決めされる。
【００６５】
ここで、スペーサ３Ｂの構成について詳細に説明したが、スペーサ３Ａも、スペーサ３Ｂと同様に構成されている。
【００６６】
図７は、スペーサ３Ａを示す平面図である。スペーサ３Ａは、スペーサ３Ｂと同様に構成されているため、その構成の詳細説明は省略する。なお、スペーサ３Ａは、側壁部５６と側壁部５６の上辺に接続された端板部５９Ａとを含む。端板部５９Ａは、蓄電セル２Ａの上面１０側に配置されており、端板部５９Ａの下面には、リップ部６２Ａが形成されている。リップ部６２Ａは、下方に向けて突出するように形成されている。
【００６７】
図８は、蓄電セル２Ａにスペーサ３Ａおよびスペーサ３Ｂを装着した状態を示す側面図である。
【００６８】
蓄電セル２Ａの主面１２側にスペーサ３Ｂが配置されており、蓄電セル２Ａの主面１３側にスペーサ３Ａが配置されている。
【００６９】
スペーサ３Ａの突出部６５Ａがスペーサ３Ｂの筒部３８Ｂに挿入されており、図示されてない突出部６４Ａが筒部３９Ｂに挿入されている。これにより、スペーサ３Ａおよびスペーサ３Ｂが連結している。
【００７０】
スペーサ３Ｂに形成された複数の整流突起４２Ｂは、蓄電セル２Ａの主面１２に接触しており、主面１２および整流突起４２Ｂによって、冷媒通路４９Ｂが形成されている
蓄電セル２Ａの側面１４には、スペーサ３Ａの張出壁５５Ａと、側壁部５６Ａと、側壁部５７Ａと、さらに、スペーサ３Ｂの側壁部３２Ｂと、側壁部３３Ｂとが配置されている。張出壁５５Ａ、側壁部５６Ａおよび側壁部５７Ａと、側壁部３２Ｂおよび側壁部３３Ｂとは、互いに離れている。
【００７１】
具体的には、側壁部５７Ａおよび側壁部３３Ｂの間には、隙間Ｇ１が形成されており、張出壁５５Ａおよび側壁部３３Ｂの間には隙間Ｇ２が形成されている。張出壁５５Ａおよび張出壁５５Ｂの間には、隙間Ｇ３が形成されている。張出壁５５Ａと、側壁部３２Ｂとの間には、隙間Ｇ４が形成されている。側壁部５６Ａおよび側壁部３２Ｂの間には、隙間Ｇ５が形成されている。各隙間Ｇ１、Ｇ２，Ｇ３，Ｇ４，Ｇ５が連通している。
【００７２】
隙間Ｇ１，Ｇ２，Ｇ３，Ｇ４，Ｇ５は、蓄電セル２Ａの側面１４に位置しており、隙間Ｇ１，Ｇ２，Ｇ３，Ｇ４，Ｇ５から側面１４の一部が露出している。隙間Ｇ３は、各冷媒通路４９Ｂと連通している。
【００７３】
ダクト４は、スペーサ３Ａおよびスペーサ３Ｂの側面に取り付けられており、ダクト４内には、冷却風Ｃが流れている。
【００７４】
図９は、スペーサ３Ａ，３Ｂおよび蓄電セル２Ａの底面を示す底面図である。スペーサ３Ａの底板６０Ａと、スペーサ３Ｂの底板３１Ｂとは、配列方向Ｄに互いに離れている。そして底板６０Ａおよび底板３１Ｂの間には、隙間Ｇ６が形成されている。
【００７５】
図１において、上記のように構成された蓄電装置１において、蓄電セル２を冷却するために、ダクト４には、冷却風Ｃが流れる。
【００７６】
図８において、ダクト４を流れる冷却風Ｃの多くは、隙間Ｇ３を通って、冷媒通路４９Ｂ内に入り込む。冷媒通路４９Ｂ内に入り込んだ冷却風Ｃは、冷媒通路４９Ｂ内を流れると共に、蓄電セル２Ａおよび蓄電セル２Ｂを冷却する。同様に、他のスペーサ３および蓄電セル２においても、各蓄電セル２およびスペーサ３の間に形成された冷媒通路内を冷却風Ｃが流れることで、蓄電セル２が冷却される。
【００７７】
ここで、隙間Ｇ３に入り込んだ冷却風Ｃの一部は、隙間Ｇ２などを通り、さらに、蓄電セル２Ａの側面１４と、側壁部３３Ｂとの間の隙間を通って、図９に示す隙間Ｇ６から外部に抜けようとする。その一方で、側壁部３３Ｂの内表面には、リップ部４７が設けられており、冷却風Ｃが隙間Ｇ６から外部に抜けることが抑制されている。
【００７８】
同様に、隙間Ｇ３に入り込んだ冷却風Ｃの一部は、隙間Ｇ２などを通り、さらに、側面１４および側壁部５７Ａの間の隙間を通って、図９に示す隙間Ｇ６を通って外部に抜けようとする。その一方で、側壁部５７Ａの内表面には、突起部６３Ａが設けられており、冷却風Ｃが隙間Ｇ６から外部に抜けることが抑制されている。
【００７９】
次に、隙間Ｇ３に入り込んだ冷却風Ｃの一部は、隙間Ｇ４などを通り、さらに、蓄電セル２Ａの側面１４と、側壁部３２Ｂとの間の隙間を通る。そして、図５において、蓄電セル２Ａの上面１０と、端板部３６Ｂとの間の隙間を通って、蓄電装置１の外部に流れようとする。
【００８０】
その一方で、端板部３６Ｂの下面には、リップ部５０Ｂが形成されており、端板部３６Ｂおよび上面１０の間から冷却風Ｃが漏れることが抑制されている。
【００８１】
同様に、図８において、隙間Ｇ３から入り込んだ冷却風Ｃの一部は、隙間Ｇ４などを通り、さらに、蓄電セル２Ａの側面１４および側壁部５６Ａの間の隙間を通る。そして、図７において、蓄電セル２Ａの上面１０および端板部５９Ａの間の隙間を通って、蓄電装置１の外部に流れようとする。その一方で、端板部５９Ａの下面にはリップ部６２Ａが形成されているため、上面１０および端板部５９Ａの間から冷却風Ｃが漏れることが抑制されている。
【００８２】
このように、隙間Ｇ３に入り込んだ冷却風Ｃが冷媒通路４９Ｂに入り込まずに、蓄電装置１の外部に漏れることを抑制することができる。これに伴い、冷媒通路４９Ｂに入り込む冷却風Ｃの流量を増やすことができ、蓄電セル２Ａおよび蓄電セル２Ｂを良好に冷却することができる。
【００８３】
今回開示された実施の形態はすべての点で例示であって制限的なものではないと考えられるべきである。本発明の範囲は請求の範囲によって示され、請求の範囲と均等の意味および範囲内でのすべての変更が含まれることが意図される。
【符号の説明】
【００８４】
１  蓄電装置、２，２Ａ，２Ｂ  蓄電セル、３，３Ａ，３Ｂ  スペーサ、４  ダクト、１０，２０  上面、１１，２１  下面、１２，１３，２２，２３，４０Ｂ，４１Ｂ  主面、１４，１５，２４，２５  側面、３０Ｂ  本体部、３１Ｂ，６０Ａ，６０Ｂ  底板、３２Ｂ，３３Ａ，３３Ｂ，３４Ｂ，３５Ｂ，５３Ｂ，５４Ｂ，５６，５６Ａ，５６Ｂ，５７Ａ，５７Ｂ  側壁部、３６Ｂ，３７Ｂ，５８Ｂ，５９Ａ，５９Ｂ  端板部、３８Ｂ，３９Ｂ  筒部、４２Ｂ  整流突起、４３Ｂ  上辺、４４Ｂ  下辺、４５Ｂ，４６Ｂ  側辺、４７，４７Ｂ，４８Ｂ，５０Ｂ，５１Ｂ，６１Ｂ，６２Ａ，６２Ｂ  リップ部、４９，４９Ｂ  冷媒通路、５２Ｂ，５５Ａ，５５Ｂ  張出壁、６３Ａ，６３Ｂ  突起部、６４Ａ，６４Ｂ，６５Ａ，６５Ｂ  突出部。
【図１】
2020027764.tif 000003
【図２】
2020027764.tif 000004
【図３】
2020027764.tif 000005
【図４】
2020027764.tif 000006
【図５】
2020027764.tif 000007
【図６】
2020027764.tif 000008
【図７】
2020027764.tif 000009
【図８】
2020027764.tif 000010
【図９】
2020027764.tif 000011